(57)【要約】【課題】ユーザ認証専用の装置を追加せずに、認証の安全性がユーザにより制御可能で、認証処理速度の速い情報処理装置を提供すること。【解決手段】利用するユーザを認証する情報処理装置であって、データファイルを保持する可搬記憶媒体を接続する接続手段と、ユーザの認証情報を保持する認証情報保持手段と、データファイルに含まれるデータファイルの属性情報と認証情報とをもとにしてユーザを認証する認証手段とを備えることを特徴とする。【選択図】      図１
2013200611.tif 000002
【特許請求の範囲】
【請求項１】
利用するユーザを認証する情報処理装置であって、
データファイルを保持する可搬記憶媒体を接続する接続手段と、
前記ユーザの認証情報を保持する、認証情報保持手段と、
前記データファイルに含まれる前記データファイルの属性情報と、前記認証情報とをもとにして前記ユーザを認証する、認証手段と
を備えることを特徴とする情報処理装置。
【請求項２】
前記ユーザが、前記データファイル及び前記属性情報をもとに、前記認証情報保持手段に前記認証情報を登録する、操作手段
をさらに備えることを特徴とする請求項１に記載の情報処理装置。
【請求項３】
原稿を読み取って画像データを生成する、スキャナ手段と、
前記画像データに属性情報を付加する、属性情報付加手段とをさらに備え、
前記データファイルは、前記属性情報を付加した前記画像データを含む
ことを特徴とする請求項１または２に記載の情報処理装置。
【請求項４】
前記可搬記憶媒体は、撮像手段を有する携帯電話であり、
前記データファイルは、前記撮像手段により撮像されて生成された画像ファイルを含む
ことを特徴とする請求項１乃至３のいずれか１項に記載の情報処理装置。
【請求項５】
前記データファイルはＪＰＥＧ形式のファイルであり、
前記属性情報はＥｘｉｆ情報である
ことを特徴とする請求項１乃至４のいずれか１項に記載の情報処理装置。
【請求項６】
情報処理装置を利用するユーザを認証する、ユーザ認証方法であって、
可搬記憶媒体を前記情報処理装置に接続するステップと、
前記可搬記憶媒体に保持されるデータファイルの属性情報と、前記情報処理装置に保持される認証情報とをもとにして前記ユーザを認証するステップと
を含むことを特徴とするユーザ認証方法。
【請求項７】
前記ユーザが、前記データファイル及び前記属性情報をもとに、前記情報処理装置に前記認証情報を登録するステップ
をさらに含むことを特徴とする請求項６に記載のユーザ認証方法。
【請求項８】
前記データファイルは、前記情報処理装置が原稿を読み取って生成した画像ファイル、及び、前記可搬記憶媒体が撮像して生成した画像ファイルの少なくとも１つを含むことを特徴とする請求項６または７に記載のユーザ認証方法。
【請求項９】
前記データファイルはＪＰＥＧ形式のファイルであり、
前記属性情報はＥｘｉｆ情報である
ことを特徴とする請求項６乃至８のいずれか１項に記載のユーザ認証方法。
【請求項１０】
情報処理装置を利用するユーザを認証する、ユーザ認証プログラムであって、
前記情報処理装置に接続された可搬記憶媒体からデータファイルを読み出す処理と、
前記データファイルの属性情報と、前記情報処理装置に保持される認証情報とをもとにして前記ユーザを認証する処理と
をコンピュータに行わせることを特徴とするユーザ認証プログラム。
【発明の詳細な説明】
【技術分野】
【０００１】
本発明は、利用するユーザを認証する情報処理装置、ユーザ認証方法及びユーザ認証プログラムに関する。
【背景技術】
【０００２】
現在、電子機器で処理される画像データは、ほとんどの場合、デジタル化されたデータである。これにより、紙などに印刷または筆記された画像を電子データとして取得する（スキャナ機能）、紙などの媒体上に印刷して出力する（プリンタ機能、コピー機能）、公衆回線を利用して伝送する（ファクシミリ機能）など、画像データを複数の利用形態において共通に使用することができ、画像データの汎用性が拡張してきた。
【０００３】
オフィスなどに設置される通信及び入出力機器として、デジタル化された画像データの処理機能のうち入力部或いは出力部を共通とするものがあることから、１つの装置に複数の機能を備えて、入力部或いは出力部を共有した、複合機の利用が近年ますます増えている。
【０００４】
例えば、複合機は、コピー機能、スキャナ機能、プリンタ機能およびファクシミリ機能のうちの２つ以上の機能を有する。
【０００５】
このような複合機においては、それぞれの機能の利用或いは消耗品の使用量の管理など、複合機にネットワークで接続されたそれぞれのユーザごとに利用が管理されることがある。例えば、利用可能な機能がユーザごとに制限される。
【０００６】
ユーザごとの管理を目的として、例えば、複合機に認証専用の装置（以下、認証装置）が備えられる。ユーザごとに利用機能を制限する処理に先立って、ユーザ認証が行われる。ユーザ認証は、例えば、文字入力による認証、指紋認証、非接触ＩＣカードなどのカード認証を含む。
【０００７】
一般的に広く使用されるデジタルスチルカメラでは、撮像された画像データは、サムネイル画像データとともに、Ｅｘｉｆ（Ｅｘｃｈａｎｇｅａｂｌｅ  Ｉｍａｇｅ  Ｆｉｌｅ  Ｆｏｒｍａｔ）情報と呼ばれる画像データに関する情報が収集されて、圧縮された画像データとともに、ＪＰＥＧ（Ｊｏｉｎｔ  Ｐｈｏｔｏｇｒａｐｈｉｃ  Ｅｘｐｅｒｔｓ  Ｇｒｏｕｐ）形式と呼ばれるファイルが生成される。このＥｘｉｆ情報は画像データの属性情報としてファイルには含まれるものの、画像ファイルを画像データとして表示手段に表示したときには、Ｅｘｉｆ情報は表示されない。
【０００８】
特許文献１には、原稿を読み取って得られた画像データを内部ストレージに書き込み、画像データに対応付けられた認証情報をＵＳＢ（Ｕｎｉｖｅｒｓａｌ  Ｓｅｒｉａｌ  Ｂｕｓ）メモリに書き込み、該画像データの利用について該ＵＳＢメモリによりユーザを認証する画像処理システムが記載される。
【０００９】
特許文献２には、読み取って生成した画像データについて、黒画素比率や画像種別などの種別情報を特定して、画像データに付加して保存する画像処理装置が記載される。画像データをもとにＥｘｉｆ形式の画像ファイルが生成され、画像データに属性に関する情報が画像ファイルに付加され、画像ファイルの管理に用いられる。
【００１０】
特許文献３には、画像データに電子署名を付与する画像計測装置であって、計測した画像の特徴量と画像付帯情報から電子署名を計算し、該電子署名を画像データのフォーマットにしたがって格納する画像計測装置が記載される。
【先行技術文献】
【特許文献】
【００１１】
【特許文献１】特許第４４７０９５７号公報
【特許文献２】特開２００７−２７２６２２号公報
【特許文献３】特許第４７６４５３６号公報
【発明の概要】
【発明が解決しようとする課題】
【００１２】
関連技術における複合機においては、ユーザの認証、ユーザ事の動作制限、或いはユーザ毎の個別の処理を行う場合、認証装置が接続され、指紋認証や認証専用の非接触ＩＣカード類による認証処理により認証動作が行われる。
【００１３】
しかしながら、認証装置を新たに設置することは、システムのコストを引き上げる。また、認証装置の設置は、システムの操作部分の使用面積を制限するものであり、機器の小型化の障害になる。さらに、カード認証、非接触ＩＣカードによる認証処理の場合は、カード側に認証に必要な規格を設定する必要が生じる。
【００１４】
特許文献１に記載の画像処理システムは、対象となる文書を読取部で読み取って画像データを生成し、機密文書かどうかを判定する。機密文書であると判定された場合、識別データが格納されたＵＳＢメモリに画像データに対応する認証ファイルが格納される。このため、画像データの表示にはＵＳＢメモリの挿入操作が必要であり、画像処理システムはそのためのインタフェースを有する。また、対象となる文書には、機密文書でない画像データが認証を要せずに表示されるような利便性を有するためには、機密文書であることを示すパターンを含める必要がある。このため対象となる文書にも認証に必要な処理があらかじめ必要である。
【００１５】
特許文献２に記載の画像処理装置は、取得した画像データを解析して画像の表示を特徴付ける指標となる値を生成し、Ｅｘｉｆ形式の画像ファイルに付加する。この付加情報は画像データの表示の様態を概略的に示す目安となる。また、画像データの解析処理が必要となり、そのための処理時間が必要となる。
【００１６】
特許文献３に記載の画像計測機器は、取得した画像データに、画像計測機器の秘密鍵を用いて画像の付帯情報の特徴量から電子署名を計算して対応させて格納する。すなわち、画像データの認証には、画像計測機器の秘密鍵を用いて算出された電子署名を利用する。従って、電子署名の算出のための処理が必要になる。
【００１７】
上記のように、関連技術に係る画像処理装置においては、画像データの認証のために、
認証に必要な情報を算出して付加する処理が必要である。このため、認証装置を具備する必要があり、装置のコストを増大させる。また、認証データ算出と登録に要する処理がシステム全体の運用効率を下げてしまう。
【００１８】
本発明は上述した点に鑑みてなされたもので、認証装置を設置する必要がなく、小規模で操作性に優れ、ユーザ認証の安全性がユーザにより制御可能で、処理速度の速い情報処理装置、ユーザ認証方法及びユーザ認証プログラムを提供することを目的とする。
【課題を解決するための手段】
【００１９】
上記の目的を達成するため、本発明の情報処理装置は、利用するユーザを認証する情報処理装置であって、データファイルを保持する可搬記憶媒体を接続する接続手段と、ユーザの認証情報を保持する認証情報保持手段と、データファイルに含まれるデータファイルの属性情報と認証情報とをもとにしてユーザを認証する認証手段とを備えることを特徴とする。
【００２０】
また、本発明のユーザ認証方法は、情報処理装置を利用するユーザを認証するユーザ認証方法であって、可搬記憶媒体を情報処理装置に接続するステップと、可搬記憶媒体に保持されるデータファイルの属性情報と情報処理装置に保持される認証情報とをもとにしてユーザを認証するステップとを含むことを特徴とする。
【００２１】
さらに、本発明のユーザ認証プログラムは、情報処理装置を利用するユーザを認証するユーザ認証プログラムであって、情報処理装置に接続された可搬記憶媒体からデータファイルを読み出す処理と、データファイルの属性情報と情報処理装置に保持される認証情報とをもとにしてユーザを認証する処理とをコンピュータに行わせることを特徴とする。
【発明の効果】
【００２２】
本発明によれば、複合機に接続された外付けメモリまたは携帯電話が保持するデータファイル及び該データファイルの属性情報を元にして複合機のユーザ認証を行うので、認証装置を新たに設置する必要がない。これにより、コストを抑えつつ、複合機に認証機能が追加される。
【図面の簡単な説明】
【００２３】
【図１】本発明の第１の実施形態に係る複合機の構成の一例を示す。
【図２】本発明の第１の実施形態に係る認証システムにおいて、画像ファイルを登録する処理の一例を示すフローチャートである。
【図３】本発明の第１の実施形態に係る認証システムにおいて、ユーザ登録をする処理の一例を示すフローチャートである。
【図４】本発明の第１の実施形態に係る認証システムにおいて、ユーザ認証をする処理の一例を示すフローチャートである。
【図５】本発明の第１の実施形態に係る複合機において、外付けメモリまたは携帯電話の接続時の表示部の表示の一例を示す。
【図６】本発明の第１の実施形態に係る複合機において、認証に使用するＪＰＥＧファイルを選択したときの表示部の表示の一例を示す。
【図７】本発明の第１の実施形態に係る複合機に登録されるデータの一例を示す。
【図８】本発明の第２の実施形態に係る複合機の構成の一例を示す。
【発明を実施するための形態】
【００２４】
発明を実施するための最良の形態について図面を参照して詳細に説明する。ただし、本発明は以下に示す実施形態に限定されない。
［第１の実施形態］
［複合機の構成］
図１は、本発明の第１の実施形態に係る複合機の構成の一例を示す。
【００２５】
本発明の第１の実施形態に係るユーザ認証システムは、データ処理装置としての複合機１０００に、可搬記憶媒体としての外付けメモリまたは携帯電話１００を接続して、ユーザ認証を行う。
【００２６】
複合機１０００は、Ｅｘｉｆ情報を含むＪＰＥＧファイルが格納される外付けメモリまたは携帯電話１００を接続する外付けメモリ接続部１０１、接続された外付けメモリまたは携帯電話１００に格納されるＪＰＥＧファイルを検索するファイル検索部１０２、及び外付けメモリまたは携帯電話１００に格納されるＪＰＥＧファイルのＥｘｉｆ情報を読み取るＥｘｉｆ確認部１０３を含む。
【００２７】
複合機１０００はさらに、ユーザ認証のための情報が登録される認証情報登録部１０５、及び、登録された情報を元にユーザ認証を行う認証部１０４を含む。認証情報登録部１０５には、ユーザの認証に使用されるＪＰＥＧファイルのファイル名、日付、容量、Ｅｘｉｆ情報、及び該Ｅｘｉｆ情報のうちのユーザ認証に使用される情報が登録される。
【００２８】
また、複合機１０００は、表示部１１２、ユーザが装置を操作する操作部１１１、原稿を読み取るスキャナ部１０６、ネットワークとＬＡＮ（Ｌｏｃａｌ  Ａｒｅａ  Ｎｅｔｗｏｒｋ）通信を行うＬＡＮ通信部１０７、ファクシミリ通信を行うファクシミリ通信部１０８、パーソナルコンピュータ（以下ＰＣ）からの印刷出力やコピー動作時の記録出力を行うプリンタ部１０９、装置全体動作を制御する制御部１１０を含む。表示部１１２には、ＪＰＥＧファイルや読み取ったＥｘｉｆ情報が表示される。ユーザは、操作部１１１を操作して、認証に使用するＪＰＥＧファイルやＥｘｉｆ情報を選択する。なお、スキャナ部１０６は、ユーザ認証された場合に使用可能となる機能ブロックである。
［画像データ登録処理］
次に、本発明の第１の実施形態に係る認証システムの処理を、図１及び２を参照して説明する。
【００２９】
図２は、図１に示される複合機１０００で認証に使用される外付けメモリまたは携帯電話１００へ、画像データであるＥｘｉｆ情報を含むＪＰＥＧファイルを登録する処理の一例を示すフローチャートである。ＪＰＥＧファイルは、例えばユーザのＰＣに格納されているとする。図２を参照して、画像データの登録処理を説明する。
【００３０】
Ｅｘｉｆ情報を含むＪＰＥＧファイルを保存する媒体として、外付けメモリと携帯電話のいずれかを選択する（ステップＳ２０１）。外付けメモリを選択した場合（Ｓ２０１ＹＥＳ）、外付けメモリをＰＣに接続し（ステップＳ２０２）、Ｅｘｉｆ情報を含むＪＰＥＧファイルを外付けメモリに格納する（ステップＳ２０３）。
【００３１】
必要とされるファイル数のデータの保存が完了する（ステップＳ２０４）まで、上記のファイル格納操作を繰り返す。保存が完了したら（Ｓ２０４ＹＥＳ）、外付けメモリをＰＣから取り外す（ステップＳ２０５）。
【００３２】
携帯電話を保存媒体に選択した場合（Ｓ２０１ＮＯ）、携帯電話をＰＣに接続してファイル登録する、及び、携帯電話に具備されるカメラを使用して画像データを登録する、のいずれかを選択する（ステップＳ２０６）。ＰＣより登録する場合は（Ｓ２０６ＹＥＳ）、ＰＣから外付けメモリへ格納する処理と同様の（ステップＳ２０３乃至Ｓ２０５）処理をする。
【００３３】
携帯電話のカメラを使用して保存する場合は（Ｓ２０６ＮＯ）、画像データを表示して写真撮影する（ステップＳ２０７）。撮影されたデータを携帯電話に格納する（ステップＳ２０８）。必要とされるファイル数のデータの保存が完了する（ステップＳ２０９）まで写真撮影の操作を繰り返す。近年は殆どの携帯電話がカメラ機能を有するが、携帯電話のカメラの機能によりＥｘｉｆ情報を付加したＪＰＥＧファイルが生成される。通常、Ｅｘｉｆ情報として、撮影日時／撮影機器メーカー名／撮影機器モデル名／画像全体の解像度／水平・垂直方向の解像度／撮影方向／シャッタースピード／絞り（Ｆ値）／ＩＳＯ感度／測光モード／フラッシュの有無／露光補正ステップ値／焦点距離／色空間（カラースペース）／ＧＰＳ情報／サムネイルなどがＪＰＥＧファイルに付加されている。
【００３４】
外付けメモリまたは携帯電話１００に登録されるＪＰＥＧファイルは、ユーザのＰＣに格納されたファイルに限定されず、ファイルを格納する手段と接続インタフェースを備えた機器に保持されてもよい。また、ＬＡＮ通信部１０７を介して複合機１０００が保持するファイルから取得されてもよい。さらに、携帯電話の通信機能を使用して取得したファイルでもよい。
［ユーザ登録処理］
図３は、ユーザが複合機１０００にユーザ情報を登録する処理の一例を示すフローチャートである。また、図５及び６は本複合機のＯＰＥ（Ｏｐｅｒａｔｉｏｎ  Ｅｑｕｉｐｍｅｎｔ、オペレーション端末）を表す図面である。ＯＰＥは操作部１１１と表示部１１２を含む。以下、図３、５、及び６を参照して、ユーザ情報の登録処理を説明する。
【００３５】
まず、複合機を起動し、外付けメモリまたは携帯電話１００を外付けメモリ接続部１０１に接続する（ステップＳ３０１）。
【００３６】
次に、接続された外付けメモリまたは携帯電話１００内から登録処理に使用するＪＰＥＧファイルを検索し（ステップＳ３０２）、表示部１１２にＪＰＥＧファイルを表示する（ステップＳ３０３）。この時点でのＯＰＥ情報を図５に示す。図５は、表示部１１２にメモリまたは携帯電話１００内に格納されているＪＰＥＧファイルの情報が表示される状態を示す。
【００３７】
ここでは１２個のＪＰＥＧファイルが登録されている。ユーザは、これらのＪＰＥＧファイルから、認証に使用するＪＰＥＧファイルをＯＰＥから選択する（ステップＳ３０４）。
【００３８】
ＪＰＥＧファイルを選択すると、選択されたファイルのＥｘｉｆ情報が表示部１１２に表示される（ステップＳ３０５）。この時点でのＯＰＥ情報を図６に示す。図６には選択されたＪＰＥＧファイルのＥｘｉｆ情報が表示される。
【００３９】
ユーザは、認証に使用するＥｘｉｆ情報を選択する（ステップＳ３０６）。複数のＥｘｉｆ情報を登録する場合は、上記の操作を繰り返す（ステップＳ３０７）。
【００４０】
選択を完了すると（Ｓ３０７ＹＥＳ）、選択されたＥｘｉｆ情報を複合機１０００の認証情報登録部１０５に登録する（ステップＳ３０８）。
【００４１】
複数のＪＰＥＧファイルを使用する場合は、ＪＰＥＧファイルの選択から繰り返し（Ｓ３０９ＹＥＳ）、ＪＰＥＧファイルを追加する。使用されるＪＰＥＧファイルについて、Ｅｘｉｆ情報を認証情報登録部１０５に登録し、登録が完了したら（Ｓ３０９ＮＯ）、処理を終えて初期状態に戻る。
【００４２】
なお、ユーザ認証に使用される情報として、あらかじめ登録されたＪＰＥＧファイルとＥｘｉｆ情報だけで認証してもよいが、ユーザの指示により、認証の水準を変更してもよい。すなわち、使用されるＥｘｉｆ情報をユーザが選択する、或いは、複数のＪＰＥＧファイルやＥｘｉｆ情報の順番をユーザが指定してもよい。
【００４３】
また、複合機１０００の備えるＬＡＮ通信部を使用して、複合機１０００の操作部１１１及び表示部１１２をエミュレートして、複合機１０００とネットワークを介して接続された端末機器からユーザ登録処理をしてもよい。
［認証登録情報］
図７を参照して、認証情報登録部１０５に登録したデータについて説明する。図７は、認証データ登録時のパラメータを記載した表である。図７の表には、複合機１０００を使用するユーザの識別情報、ユーザごとに使用される認証時のパラメータとしての認証ＪＰＥＧファイル識別情報及び認証Ｅｘｉｆ情報、及び、そのユーザごとの許可動作情報（ファクシミリ、コピー、プリント及びスキャナ）が登録される。
【００４４】
また、図７は、それぞれのユーザの認証結果を表示する。すなわち、図７に例示される表について、認証の結果、ユーザＢ、Ｃ及びＤは、本複合機１０００の使用が許可されている。一方、ユーザＡは認証に失敗したため、本複合機１０００を使用できない状態である。
【００４５】
図７に示される登録情報のうち、ユーザ識別情報及び許可動作情報は、あらかじめユーザ或いは複合機１０００の管理者により登録されている。これらの情報は、ユーザまたは管理者の指示により、追加或いは変更されてもよい。
［ユーザ認証処理］
次に、ユーザ認証の処理について、図４に示すフローチャートを参照して説明する。
【００４６】
まず、認証に使用する外付けメモリまたは携帯電話１００を外付けメモリ接続部１０１に接続する（ステップＳ４０１）。接続された外付けメモリまたは携帯電話１００に格納されるＪＰＥＧファイルが検索され（ステップＳ４０２）、検索されたＪＰＥＧファイルがＯＰＥ部に表示される（ステップＳ４０３）。ユーザは、表示されたＪＰＥＧファイルから認証で使用するファイルを選択する（ステップＳ４０４）。次に、選択されたＪＰＥＧファイルのＥｘｉｆ情報がＯＰＥ部に表示される（ステップＳ４０５）。ユーザは表示されたＥｘｉｆ情報から認証に使用するＥｘｉｆ情報を操作部１１１から選択する（ステップＳ４０６）。ユーザは、ユーザ登録時に選択した情報と同じＥｘｉｆ情報及びＪＰＥＧファイルを選択する。このとき、複数のＥｘｉｆ情報及びＪＰＥＧファイルが必要であれば、選択操作を繰り返す（ステップＳ４０７及びＳ４０８）。認証情報登録部１０５に登録された情報を参照して、認証部１０４により、ユーザが、認証が可能なユーザかどうかが判断される（ステップＳ４０９）。認証が可能なユーザであった場合は（Ｓ４０９ＹＥＳ）、認証を完了して許可された動作（ファクシミリ、コピー、プリント、スキャナ）の動作を可能として（ステップＳ４１０）、初期画面に戻って待機状態となり、処理を完了する。許可されたユーザでなかった場合（Ｓ４０９ＮＯ）、エラーを表示して（ステップＳ４１１）、初期画面に戻って待機状態となる。
【００４７】
なお、本実施例では、図５及び６で、操作部１１１と表示部１１２を分離した構成としたが、一体としてもよい。すなわち、表示部１１２をタッチパネルのようにして操作可能な構成としてもよい。
【００４８】
本発明の第１の実施形態において、少なくともコピー機能、スキャナ機能、プリンタ機能及びファクシミリ機能のうちの複数の機能を有する複合機は、ユーザによる操作に先立って、ユーザ認証を実施する。ユーザ認証により、ユーザによる複合機の動作が制限され、また、ユーザ毎に個別の動作の対応などが行われる。本発明の第１の実施形態に係る複合機は、ユーザ認証のための専用の装置を具備することなく、ユーザが接続したメモリや携帯電話１００に保存されたＪＰＥＧファイルのＥｘｉｆ情報を元にしてユーザ認証を行う。
【００４９】
Ｅｘｉｆ情報は、規格により、静止画像ファイルに属性データとして含まれるが、通常は画像データとして表示手段に表示されない。
【００５０】
本発明の第１の実施形態に係る複合機においては、この既存のＥｘｉｆ情報をユーザ認証に利用する。すなわち、Ｅｘｉｆ情報を表示手段に表示させ、ユーザがＥｘｉｆ情報を操作することにより、複合機のユーザ認証を行う。これにより、新たにユーザ認証のためのデータを生成する必要はなく、ユーザ認証のための装置の追加は不要である。また、認証データのための生成処理時間、及び、認証データを格納するメモリ領域も不要である。
【００５１】
これにより、コストを抑えながら、機密情報の遺漏及び個人情報の漏洩を防止し、ユーザに対して個別に複合機に備えられた複数の機能のそれぞれを対応させることができる。
【００５２】
本発明の第１の実施形態においては、ユーザ認証に使用されるＪＰＥＧファイルとして、外付けメモリまたは携帯電話１００に保存されているＪＰＥＧファイルに限定されず、携帯電話のカメラ機能により撮像されて取得したＪＰＥＧファイルを利用することも可能である。すなわち、ユーザの指示により、認証に必要なＪＰＥＧファイルの更新、代替或いは追加が可能である。これにより、ユーザ認証の安全性をユーザにより維持または変更できる。
［第２の実施形態］
本発明の第２の実施形態について、図８を参照して説明する。
【００５３】
図８は、本発明の第２の実施形態に係る複合機２０００の構成の一例を示す。第２の実施形態に係る複合機２０００は、第１の実施形態に係る複合機１０００に、Ｅｘｉｆ付加画処理部１１３が追加されている。この他の構成は第１の実施形態と同様であるので、第１の実施形態と同一の符号を付して、説明を省略する。
【００５４】
第２の実施形態においては、ユーザ認証に使用されるＪＰＥＧファイルを、複合機のスキャナ機能を利用して取得した画像データから作成する。すなわち、紙などの媒体に印刷または筆記された画像を、スキャナ部１０６により読み取らせ、画像データを生成する。この画像データはＥｘｉｆ付加画処理部１１３により画像データの属性情報としてのＥｘｉｆ情報が付加され、画像表示情報についてのデータ処理を経てＪＰＥＧファイルが作成される。このＪＰＥＧファイルは、複合機２０００に保持されてもよいし、外付けメモリ接続部１０１に接続された外付けメモリまたは携帯電話１００に転送されてもよい。
【００５５】
本発明の第２の実施形態に係る複合機２０００は、スキャナ部を使用して画像データを取得し、Ｅｘｉｆ情報を含めてＪＰＥＧファイルを生成する。
【００５６】
本発明の第２の実施形態においては、ユーザは、複合機２０００のスキャナ機能を使用して、認証に必要なＪＰＥＧファイルを作成することができる。これにより、ユーザは認証に使用するＪＰＥＧファイルを更新或いは追加できる。
【００５７】
本発明に実施形態に係る複合機のユーザ認証システムにおいては、ユーザが所有する外付けメモリまたは携帯電話を利用して認証を行うので、ユーザが認証のための媒体を用意する必要がない。このため、システムの規模を小さく抑えることができ、コストの増大が抑制される。
【００５８】
さらに、認証に用いられるＪＰＥＧファイルの数やＥｘｉｆ情報の数をユーザが任意で選ぶことができ、また選択する順番も任意に決められ、それらのパラメータは任意で選べるので、秘匿性と簡易性が両立できる。
【００５９】
以上、実施形態を参照して本発明を説明したが、本発明は上記各実施形態及び実施例に限定されない。本発明の構成や詳細については当業者が理解しうる様々な変更を加えることができる。また、本発明には上記各実施形態の構成の一部又は全部を相互に適宜組み合わせたものも含まれる。
【００６０】
本発明の実施形態においては、画像データを処理する複数の機能を有する複合機について、ユーザを認証する処理を例として説明したが、これに限定されない。外付けメモリまたは携帯電話を接続する接続部、ユーザの操作を受け付ける操作部、表示部、データ保持部及び認証部を備えた機器であれば、本発明を好適に適用できる。
【００６１】
本発明の実施形態においては、ユーザ認証に用いる画像ファイルとして、Ｅｘｉｆ情報を含むＪＰＥＧファイルを使用したが、これに限定されない。デジタルデータをもとに電子ファイルを生成するときに付加される属性データであれば、本発明を好適に適用できる。
【００６２】
なお、上述の処理動作を実行させるためのプログラムを、フレキシブルディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＭＯ（Ｍａｇｎｅｔｏ−Ｏｐｔｉｃａｌ  ｄｉｓｋ）などのコンピュータ読取可能な記録媒体に格納して配布し、当該プログラムをコンピュータにインストールすることにより、上述の処理動作を実行する装置を構成しても良い。
【産業上の利用可能性】
【００６３】
本発明は上記の実施形態に限定されるものではなく、複数のユーザによって共有して使用されるユーザ認証システムに好適に適用可能である。
【符号の説明】
【００６４】
１００    外付けメモリまたは携帯電話
１０１    外付けメモリ接続部
１０２    ファイル検索部
１０３    Ｅｘｉｆ確認部
１０４    認証部
１０５    認証情報登録部
１０６    スキャナ部
１０７    ＬＡＮ通信部
１０８    ファクシミリ通信部
１０９    プリンタ部
１１０    制御部
１１１    操作部
１１２    表示部
１１３    Ｅｘｉｆ付加画処理部
１０００    複合機
２０００    複合機
【図１】
2013200611.tif 000003
【図２】
2013200611.tif 000004
【図３】
2013200611.tif 000005
【図４】
2013200611.tif 000006
【図５】
2013200611.tif 000007
【図６】
2013200611.tif 000008
【図７】
2013200611.tif 000009
【図８】
2013200611.tif 000010